(57)【要約】【課題】  本発明の目的は、交換可能な記録媒体を交換している間にも中断することなくユーザの意図する映像などの情報を記録することが可能な情報記録装置を提供することにある。【解決手段】  交換可能な記録媒体のほかに記録媒体を本情報記録装置に内蔵もしくは取り付け、かつ撮影中の諸条件を元に設定を変更あるいは維持したりする手段を備えることにより、交換可能な記録媒体交換中にも映像などの情報を記録する手段を備えていることを特徴とする情報記録装置。【選択図】図２
2008147994.tif 000002
【特許請求の範囲】
【請求項１】
画像、或いは音声などの情報を、記録媒体に光学的あるいは磁気的もしくは電気的に記録し、或いは前記記録媒体から記録情報を光学的あるいは磁気的もしくは電気的に再生する記録再生手段を備えた情報記録装置であって、
少なくとも１つが交換可能な複数の記録媒体を装備し、前記複数の記録媒体のうち、第１の記録媒体を交換中にも前記情報を記録し、前記第１の記録媒体を交換中は、前記記録情報の記録に必要な条件情報もしくは設定が保持されることを特徴とした情報記録装置。
【請求項２】
請求項１に記載の情報記録装置であって、
画像情報を入力する装置が撮影装置であり、前記条件情報もしくは設定が、前記撮影装置の対物ズームレンズの焦点距離であることを特徴とする情報記録装置。
【請求項３】
請求項１に記載の情報記録装置であって、
前記条件情報もしくは設定が、画像、或いは音声などの情報を撮影するときの撮影諸条件であることを特徴とする情報記録装置。
【請求項４】
請求項１に記載の情報記録装置であって、
前記条件情報もしくは設定が音声などの情報を入力するときの振幅位相変換であることを特徴とする情報記録装置。
【請求項５】
請求項１に記載の情報記録装置であって、
前記条件情報もしくは設定が、記録媒体が切り替わっても記録中の画像、或いは音声などの前記情報が互いに関連することを示す情報であることを特徴とする情報記録装置。
【請求項６】
請求項１に記載の情報記録装置であって、
前記第１の記録媒体以外の、前記複数の記録媒体のうち少なくとも１つが前記情報記録装置に内蔵されていることを特徴とする情報記録装置。
【請求項７】
請求項２に記載の情報記録装置であって、
前記第１の記録媒体を交換するときには前記撮影装置のズームレンズが短焦点位置に移動することを特徴とする情報記録装置。
【発明の詳細な説明】
【技術分野】
【０００１】
本発明は、光ディスクなどのディスク状記録媒体やメモリー、磁気テープなどを用いる情報記録装置およびその制御方法に係り、特に、長時間の映像情報を記録するビデオカメラなどに搭載するのに好適な、情報記録装置およびその制御方法に関する。
【背景技術】
【０００２】
光ディスクや磁気ディスク、磁気テープは大量の情報を記録でき、かつ記録媒体交換が可能な特徴を備えている。そのため、動画のような大量の情報を記録する必要があるビデオカメラではこれらを記録媒体として用いることが一般的である。また、最近では書き換え可能なメモリーの記録容量も向上してきており、このメモリーを記録媒体として用いるビデオカメラもある。
【０００３】
記録媒体の記録容量の向上と共に、１枚あたりの光ディスクや１個あたりのメモリーに記録できる映像の撮影時間も延びてきている。直径８ｃｍのＤＶＤ−ＲＡＭディスク（片面記録容量約1.5ＧＢ）を用いる日立製作所製ＤＶＤビデオカメラでは、（非特許文献１）によれば、撮影できる時間は記録画質にもよるが約18分ないし60分である。
（特許文献２）によれば、記録媒体であるビデオテープの使用状況を使用者に通知するため、ビデオカメラの液晶モニターにビデオテープの残容量が表示される。
（特許文献３）によれば、記録媒体であるディスクの残容量が少なくなったときにそのディスクの記録時間を延長する方法が示されている。
【０００４】
【非特許文献１】日立製作所ＤＶＤビデオカメラDZ-MV350形取扱説明書
【特許文献１】公開特許公報 平5-304623号
【特許文献２】公開特許公報 平10-143977号
【発明の開示】
【発明が解決しようとする課題】
【０００５】
前記従来技術では、可換記録媒体、例えばビデオテープや光ディスクなど、を用いてビデオカメラで撮影を行なっていた場合に、記録媒体の残容量が少なくなった、あるいは無くなったときには、撮影を中断してその記録媒体を残容量の十分ある別の記録媒体に交換する必要があった。
【０００６】
大容量記録に適した光ディスクや磁気ディスク、磁気テープには、複数の番組や撮影シーンといった映像情報を大量に記録できる。また、最近市場に出てきた、青色半導体レーザを記録光源に用いるBlu-rayディスクにおいて、直径８ｃｍの１層ディスクの場合、記録容量は約7.7ＧＢである。
【０００７】
このようなディスク媒体の記録容量の飛躍的向上に伴い、その記録映像の画質もハイビジョンなどといった高画質化が図られ、単位時間当たりの記録情報量も多くなっている。その結果、そのディスク媒体に記録するプログラムや撮影シーンといった映像の記録時間はそれほど大きな変化につながっていない。
【０００８】
非特許文献１によれば、片面記録容量約1.5ＧＢのＤＶＤ−ＲＡＭディスクに約６０分動画を記録できる。また、前述した直径８ｃｍの１層Blu-rayディスクにハイビジョン画質で映像を記録した場合には、撮影時間は約４０分ないし１時間である。したがって、ビデオカメラに用いる可換記録媒体は、数時間にわたる撮影でも残容量不足が生じないようにように複数必要となる。
【０００９】
特に屋外での撮影、例えば祭や運動会など、や、いったん始まるとその場から離れることの難しい行事での撮影、例えば結婚式や入学式など、においては、ビデオテープやディスクを複数持参するのが一般的である。
【００１０】
しかしながら、そのビデオテープやディスクなどの残記録容量が少なくなってそれを交換するタイミングが撮影の合間にちょうどくるとは限らない。例えば、結婚式のスピーチの最中や自分の子供が出演している最中にビデオテープやディスクの記録容量の残りが少なくなる場合などである。このような状況では、重要なシーンであるにも関わらず、いったん撮影を中止し、ビデオテープやディスクを別のものに交換しなければならないといった問題があった。
【００１１】
あるいは、重要な撮影シーン中での交換による撮影中断がないように、ビデオテープやディスクの残容量がある程度あっても、新しいビデオテープやディスクに交換して撮影しなければならないといった問題があった。
【００１２】
また、特許文献３に書かれているような記録時間の延長処理は、そのディスク内に不要シーンがあった場合にのみ可能である。したがって、現在使っているディスクに必要なシーンばかりがあって、かつそれらで満杯になった場合には、やはり撮影を中断してディスクを交換しなければならないという問題があった。
【００１３】
このような記録媒体の交換の前後で、撮影中の映像及び音声の撮影条件が大きく変化してしまう、あるいは記録媒体の交換前の撮影条件に戻すのに時間がかかるという問題があった。
【課題を解決するための手段】
【００１４】
前記課題を解決するために、本発明の情報記録装置は、交換可能な記録媒体のほかに１つないし複数の別の記録媒体を内蔵もしくは取り付け、かつ撮影中の諸条件を元に設定を変更あるいは維持したりする手段を備える。
【００１５】
さらに、前記交換可能な記録媒体の容量が記録情報でいっぱいになった場合には、情報を記録する媒体を前記交換可能な記録媒体から前記別の記録媒体に切り替えて本発明の情報記録装置が情報記録を続け、その間に、ユーザが前記交換可能な記録媒体を他の交換可能な記録媒体への交換を行なう。
【００１６】
そして、その交換が終了したら、本発明の情報記録装置は、情報を記録する媒体を、前記他の交換可能な記録媒体に切り替えて情報を記録し続けることができる。
【発明の効果】
【００１７】
本発明によれば、情報を記録する記録媒体を管理し、かつ撮影中の諸条件を元に設定を変更あるいは維持したりする記録状態管理手段と、交換可能な記録媒体以外の情報記録媒体を備え、情報が記録される記録媒体を一時的に切り替えることにより、交換可能な記録媒体を交換している間も中断することなく撮影を続けることが可能になる。
【発明を実施するための最良の形態】
【００１８】
以下、本発明の実施例を図１、図２、図３を用いて説明する。
図１は、一般的な情報記録装置を用いた装置例の概略構成を示すブロック図である。
【００１９】
図１において、１は撮影手段で、撮影光学系２やＣＣＤ（撮像素子）３やＡ／Ｄ変換器４などからなり、被写体像を撮影光学系２によってＣＣＤ３上に結像させ、ＣＣＤ３により画像信号を得て、これをＡ／Ｄ変換器４によってデジタル化して出力する。５は、撮影手段１からの画像信号を画像データに変換処理する画像信号処理手段で、この画像信号処理手段５は、音声情報信号入力手段であるマイクロフォン１４からの音声情報信号をも処理するようになっている。
【００２０】
また、再生時には、画像信号処理手段５は、後記記録再生信号処理手段６からの画像データを、表示出力用の画像情報信号に変換処理するようになっており、さらに、この画像信号処理手段５は、後記記録再生信号処理手段６からの音声データを音声出力用の音声情報信号に変換処理するようになっている。
【００２１】
ビデオカメラの場合、画像データ、音声データは連続的に５の画像信号処理手段で処理を行われており、画質、音質は、５の画質信号処理手段の処理能力で決められ、その処理能力により５の画像信号処理手段から６の記録再生信号処理手段に送られるデータの転送速度が決まる。
【００２２】
６は記録再生信号処理手段で、画像信号処理手段５からの画像データ（音声データを含む）を、ディスク状記録媒体９へ記録するための記録フォーマットにしたがった記録データに変換するため、あるいは、ディスク状記録媒体９から再生された記録データを画像データ（音声データを含む）に変換処理するため、エンコード／デコード処理、変調／復調処理、ＥＣＣ付加／誤り訂正処理などの処理を行う。ディスクへの記録、或いは再生の転送速度は、上記記録再生信号処理手段６の処理能力、記録再生手段８の処理能力、ディスクの回転速度等により決まる。
【００２３】
７は上記画像信号処理手段５からの画像データ（音声データを含む）を一時記憶するメモリである。上記メモリは、５の画像信号処理手段から転送される画像データ或いは音声データの転送速度が、ディスク状記録媒体９に記録を行う速度より速い場合に蓄積されている。従って、ディスク状記録媒体９への記録は、前記メモリへの蓄積量がメモリ容量以上にならないうちに記録する必要がある。
【００２４】
８は記録再生手段、９は図示せぬスピンドルモータによって回転駆動されるディスク状記録媒体（光ディスク）、１０はレーザ光源（レーザダイオード）や光学系、光検出器等よりなる光学ヘッドであり、記録再生手段８は、光学ヘッド１０によって、上記メモリ７に記憶された上記記録データを上記光ディスク９へ記録し、また、光学ヘッド１０によって、光ディスク９から再生された上記記録データを上記メモリ７に一時記憶させる。
【００２５】
１１は光記録に必要なサーボ制御、例えば、光学ヘッド１０のアクチェータ（図示せず）を制御するフォーカス制御やトラッキング制御、スピンドルモータ（図示せず）を制御するディスクの回転制御、アドレス位置を制御するシーク制御等を行う。
【００２６】
１５はＬＣＤ（液晶ディスプレイ）等よりなる画像表示手段である。再生時には、光学ヘッド１０で読み取られた光ディスク９上のデータ（レーザ光で照射された光ディスクからの反射光を、反射光量差として光学ヘッド１０の光検出器で読み取ったデータ）が、記録再生手段８を経て、再生された記録データとしてメモリ７に一旦蓄積された後、記録再生信号処理手段６で元の画像データに変換され、画像信号処理手段５を経て、この画像表示手段１５に表示される。
【００２７】
また、本装置がビデオカメラの場合、撮影時には撮影手段１がとらえた事物が１５に映しだされる。機能切り換えスイッチ（図示せず）などによって、１５に表示する内容を変えることができ、既に光ディスク９に記録されている映像などの情報にどんな内容のものがあるかを示すサムネールを複数同時に提示できるサムネール複数表示画面を１５に表示することができる。
【００２８】
このときに表示されるサムネールは６個とか１２個といった複数個のサムネールをマトリクス状に表示するが、サムネール複数表示画面に一度に表示するサムネールの数は、画像表示手段１５の大きさや、１５に用いるＬＣＤの画質などからユーザが見やすい数に設定される。
【００２９】
１７は、外部電源としてのＤＣ電源であり、例えば屋内使用時には交流コンセントから AC/DC アダプタ付きの電源コードで電力を取り込むのが一般的である。１８は充電可能な蓄電池（バッテリーとも言う）である。１８を使用する際には情報記録装置に取り付けた形で用いるが、情報記録装置から取り外しが可能なことが一般的である。１６は、ＤＣ電源１７あるいは蓄電池１８の情報記録装置への接続を検出し、また蓄電池１８の残量を検出するなどの処理を行う電源及び充電制御手段である。
【００３０】
蓄電池１８への充電は、１８を情報記録装置から取り外して、別の充電アダプタなどで充電する方法もあるが、１８を情報記録装置に取り付けたままで充電を行う方法もある。その場合には、１６はどのような場合に蓄電池１８に充電を行うかを判断し、充電を行う判定のときにはＤＣ電源１７から１６を介して電力を蓄電池１８に供給して充電を行う。
【００３１】
画像表示手段１５には、蓄電池１８の残量やディスク状記録媒体９の記録容量が少なくなった場合の警告も表示されるのが一般的である。これはユーザに、蓄電池１８やディスク状記録媒体９の交換を促すためである。
【００３２】
１２は、装置全体の統括制御を司る制御マイコンやアプリケーションなどよりなるシステム制御手段で、このシステム制御手段１２によって、上述した装置の各部の制御や、全体の統括管理を行う。
【００３３】
情報記録装置を用いたビデオカメラにおいて、映像などの情報をユーザが記録しようとするときには、交換可能な記録媒体としてビデオテープや光ディスクなどを情報記録装置に取り付けることによって行う。しかしながら、取り付ける記録媒体の記録容量にも上限があり、長時間の屋外撮影などでは、複数の記録媒体を用意し、記録媒体の残記録容量が無くなるたびに記録媒体の交換を行っている。その結果、記録媒体を交換するために撮影を中断する必要があり、連続撮影ができないという問題があった。
【００３４】
上記の問題を解決するのが本発明の情報記録装置である。図２は、本発明の情報記録装置を用いた一実施例の概略構成を示すブロック図である。図１と同じ番号を付したものは同一の機能を果たすものとする。図２では情報を記録する媒体がディスク状記録媒体９であるが、９の代わりに磁気テープや情報書き換え型メモリーなどでもよく、またそれに限る必要も無い。情報を記録する媒体が磁気テープや情報書き換え型メモリーなどの場合には、それに応じて、８、１０、１１も変わってくるが、それらは従来からあるビデオレコーダやメモリー動画カメラで用いられているようなものであればよい。
【００３５】
記録再生信号処理手段６も、記録媒体が変われば、それに応じた処理を行う必要がある。図２で「任意の外部表示装置へ」と示した部分は、例えば、本情報記録装置がビデオカメラに用いられているのであれば、図１に示した画像表示手段１５であってもよいし、あるいは前記ビデオカメラとケーブルで接続したテレビであってもよい。
【００３６】
３０は、複数の記録媒体が本情報記録装置に取り付けられているときの、複数の記録媒体や、本情報記録装置のその他の手段との間の記録情報のやり取りを制御し、かつ撮影中の諸条件を元に設定を変更あるいは維持したりする記録状態管理手段である。図２では、記録状態管理手段３０はシステム制御手段１２とは別に示されているが、これに限る必要はなく、システム制御手段１２構成要素の一つとして含まれてもよい。
【００３７】
つまり、アプリケーションを含んだシステム制御手段１２が、本情報記録装置に取り付けられた複数の記録媒体から、情報を記録すべき記録媒体を選択し切り替える制御を含めた、記録媒体を含めた情報記録系と本情報記録装置のその他の手段との間での記録情報のやりとりの制御を行えればよい。
【００３８】
３１は、光ディスク９以外に本情報記録装置に取り付けられた複数の記録媒体のうちの一つである。一例として３１が、本情報記録装置に内蔵された情報書き換え型メモリである場合を説明する。情報書き換え型メモリ３１の記録容量は大きなものである必要はない。ビデオカメラのハイビジョン撮影時のユーザビットレートが24[Mbps]であれば、例えば光ディスク９を交換するのに１０秒かかるとして、その１０秒分の情報量にあたる３０[MB]くらいの容量の情報書き換え型メモリを用意すればよい。
【００３９】
もちろん、３１を情報書き換え型メモリに限る必要もなく、最近出てきたマイクロドライブのような超小型HDDであってもよい。また、３１は本情報記録装置に内蔵されていてもよいし、交換可能なものであってもよい。
【００４０】
次に、本発明による、映像などの情報を撮影もしくは記録中に光ディスク９の残記録容量がほとんどなくなり、９を十分に残記録容量のある別の光ディスク９に交換するときの処理の大まかな流れの一例を図３に示す。
【００４１】
まず、本情報記録装置を用いたビデオカメラの使用者が、本情報記録装置に格納されているディスク上に映像などの情報を撮影し記録する場合、自宅以外での撮影のときにはたいがい十分に残記録容量のある光ディスク９を複数枚用意するので、その状態を想定して説明する。なお、ここでは記録媒体が光ディスク９であるとして説明するが、これに限る必要はなく、磁気テープや磁気ディスク、書き換え可能メモリーなど、映像情報を記録するのが可能な記録媒体であればよい。
【００４２】
ユーザが光ディスク９を、本情報記録装置を用いたビデオカメラに取り付け撮影を開始する（ステップ３０）。撮影が開始されると、本情報記録装置は映像などの情報を光ディスク９に記録開始する（ステップ３１）。撮影が続き記録処理が終了しない場合には（ステップ３２）、記録状態管理手段３０およびシステム制御手段１２は光ディスク９の残記録容量を調べて、その残容量があるしきい値Ａ、例えば残記録容量０になる２分前に相当する残容量、になれば（ステップ３３）、ユーザに光ディスク９の残記録容量がほとんどないことを知らせる警告を画像表示手段１５に表示し（ステップ３４）、光ディスク９の交換をうながす。
【００４３】
記録状態管理手段３０およびシステム制御手段１２による、光ディスクや情報書き換え型メモリなどの記録媒体のカメラ本体への取り付け・取り外しの検出方法や、記録媒体の残記録容量などの具体的な監視方法は、市販のビデオカメラ等で行われている方法でよい。
【００４４】
ユーザが撮影中に、光ディスク９の交換をうながす警告が表示されると、光ディスク９を本情報記録装置から取り出すスイッチを入れる。システム制御手段１２は、ユーザが光ディスク９を本情報記録装置から取り出すスイッチを入れたことを検出すると（ステップ３５）、記録状態管理手段３０を介して、今まで映像などの情報を記録していた光ディスク９から記録媒体を情報書き換え型メモリ３１に切り替えて、情報をそこに記録し続ける（ステップ３６）。情報書き換え型メモリ３１に映像などの情報を記録している間に、ユーザは残記録容量のある別の光ディスク９´を用意して本情報記録装置に取り付ける。
【００４５】
システム制御手段１２は、本情報記録装置に光ディスク９´が取り付けられたことを検出し（ステップ３７）、再び映像などの情報を光ディスク9´に記録できることがわかると、記録状態管理手段３０を介して、それまで映像などの情報を記録していた情報書き換え型メモリ３１から記録媒体を光ディスク９´に切り替えて、情報をそこに記録し続ける（ステップ３８）。このようにして、ユーザは撮影中であってもその撮影を中断することなく本情報記録装置に取り付けていた光ディスク９を別の光ディスク９´に交換することができ、光ディスク交換中にも映像などの情報を記録し続けることができる。
【００４６】
ステップ３５からステップ３６にかけて、ユーザが警告表示をもとに光ディスク９を本情報記録装置から取り出すスイッチを入れると上述したが、これに限る必要はなく、例えば、システム制御手段１２が光ディスク９の残記録容量がほぼ０になることを検出した時点で、記録状態管理手段３０を介して、今まで映像などの情報を記録していた光ディスク９から記録媒体を情報書き換え型メモリ３１に切り替えて、情報をそこに記録し続け、かつ光ディスク９を本情報記録装置から自動的に排出するようにしてもよい。
【００４７】
その際にユーザに光ディスク９の残記録容量がないことを知らせる警告を画像表示手段１５に表示すれば、ユーザは光ディスク9を残記録容量のある別の光ディスク９´に交換することができる。つまり、撮影中に光ディスク9の残記録容量がなくなったときは記録状態管理手段３０が記録媒体を光ディスク9から情報書き換え型メモリ３１に切り替えて、映像などの情報を記録し続けるようにシステム制御手段１２は制御すればよい。
【００４８】
さらに、ステップ３５からステップ３８にかけての光ディスク９から別の光ディスク９´への交換の過程において、撮影している映像などの情報に大きな変化が起きないように、カメラの絞りやピント位置、露光条件などといったビデオカメラ撮影諸条件を記憶して維持するように記録状態管理手段３０は制御する。
【００４９】
あるいは、光ディスク交換時は、本情報記録装置を用いたビデオカメラが揺れやすいので、撮影中の画像が大きくぶれないように、現在のビデオカメラの焦点距離を記憶した上で一時的にビデオカメラの焦点距離を短焦点距離に移動させ、光ディスクの交換が終了した時点で記憶しておいた元の焦点距離位置に戻すように記録状態管理手段３０は制御してもよい。
【００５０】
また、ビデオカメラに振動検出器を積んでおけば、三脚使用時のような場合、ビデオカメラが安定した振動の少ない状態にあることがわかるので、光ディスク交換時でも焦点距離をずらさないようにすることも可能である。
【００５１】
どのように記録状態管理手段３０が制御するかはユーザが選択設定できるようにしてもかまわない。音声に関しても、光ディスク９を本情報記録装置から取り出すときや、光ディスク９´を取り付けるときに機械の動作音がして、ユーザが意図しないノイズとなって記録されることがあるので、前記動作音が発生すると予想される期間中は、ビデオカメラのマイク入力を中断するように記録状態管理手段３０は制御する。
【００５２】
あるいは、前記動作音はたいがい特徴的な音パターンであるので、前記動作音の逆位相を前記動作音発生時に付加してもよい。これによりノイズキャンセルの効果が生じる。
【００５３】
光ディスク９を残記録容量のある別の光ディスク９´に交換した後は、光ディスク9で行っていたのと同様に、光ディスク９´の残記録容量をシステム制御手段１２は監視し、必要に応じて記録媒体を切り替える（ステップ３８→ステップ３３→ステップ３４→・・・の流れ）。
【００５４】
光ディスク９から残記録容量のある別の光ディスク９´に交換中に情報書き換え型メモリ３１に記録された映像などの情報は、光ディスク９´が本情報記録装置に取り付けられた後に、光ディスク９´に記録しなおせばよい（ステップ３９）。その契機は、ユーザが現時点で撮影している映像などの情報を光ディスク９´に記録している処理の合間に行えばよい。これは一般に、光ディスクへ情報を記録する記録レートが、撮影している単位時間当たりの情報量、すなわちユーザビットレートより大きいために、撮影中であっても記録処理に合間ができるからである。
【００５５】
また、交換直前に光ディスク９に記録されていた映像などの情報と、光ディスク９から残記録容量のある別の光ディスク９´に交換中に情報書き換え型メモリ３１に記録された映像などの情報が、交換直後に光ディスク９´に記録されている映像などの情報と関係が有ることを示す情報を記録状態管理手段３０は、前記映像などの情報それぞれに付加するように制御する。
【００５６】
この付加された情報を元に、例えば、情報再生用サムネール（代表画）表示画面などで、一括して一つのサムネールとして表示することが可能となる。情報書き換え型メモリ３１に記録された映像などの情報を光ディスク９´に移し終えたら、あるいは複写し終えたら、情報書き換え型メモリ３１に記録されていた映像などの情報は情報書き換え型メモリ３１から消去してよい（ステップ４０）。もちろん、本情報記録装置を用いたビデオカメラを、パソコンやビデオレコーダなど外部情報記録装置に接続して、情報書き換え型メモリ３１に記録された映像などの情報を取り出せるようにしても構わない。
【００５７】
撮影中に、ユーザが、残記録容量が０もしくはほとんどない光ディスク９を本情報記録装置から取り出して、残記録容量のある別の光ディスク９´を本情報記録装置に取り付けるまでの間、映像などの情報は情報書き換え型メモリ３１に記録され続けることは上述したとおりだが、情報書き換え型メモリ３１の記録容量は光ディスク9の記録容量よりは大きくないことが多い。
【００５８】
そこで、残記録容量のある別の光ディスク９´が本情報記録装置に取り付けられるまでは、システム制御手段１２および記録状態管理手段３０は情報書き換え型メモリ３１の残記録容量が０になっていないか監視する（ステップ４１）。残記録容量のある別の光ディスク９´が本情報記録装置に取り付けられる前に、情報書き換え型メモリ３１の残記録容量が０になった場合には撮影による映像などの情報の記録処理を終了し、０になっていない場合にはユーザに残記録容量のある光ディスクを本情報記録装置に急いで取り付けるよう促す警告を画像表示手段１５に表示する（ステップ４２）。
【００５９】
図3では、ユーザが本情報記録装置から残記録容量がほとんど０になった光ディスク９を取り出さずに、撮影中に光ディスク9の残記録容量が０になった場合には、撮影による映像などの情報の記録処理を終了する（ステップ４４）と示しているが、情報書き換え型メモリ３１の記録容量が非常に大きいものであれば、ただちに記録処理を終了せずに、システム制御手段１２が記録状態管理手段３０を介して、今まで映像などの情報を記録していた光ディスク９から記録媒体を情報書き換え型メモリ３１に切り替えて、情報をそこに記録し続け、かつ、ユーザに残記録容量のある光ディスクを本情報記録装置に急いで取り付けるよう促す警告を画像表示手段１５に表示するように制御してもよい。
【００６０】
この場合も、光ディスク9の交換が行われず、情報書き換え型メモリ３１の残記録容量が０になったときには撮影による映像などの情報の記録処理を終了する。
【００６１】
このように、ビデオカメラで使用者が撮影中に光ディスク9の残記録容量がなくなって交換しなければならないときでも、撮影を中断する必要がなく、かつ、ユーザの意図した映像及び音声を大きく損ねることがない。したがって、光ディスク交換によるシャッターチャンスの取り逃がしを回避できる。
【００６２】
以上の説明において、図２に光ディスク９や記録媒体３１（情報書き換え型メモリなど）はそれぞれ１つずつ図示されているが、それに限る必要はなく複数あってもよい。光ディスク９や記録媒体３１（情報書き換え型メモリなど）はユーザが本発明装置に容易に取り付け、あるいは取り外しが可能なような装着仕様にすればよい。
【図面の簡単な説明】
【００６３】
【図１】一般的な情報記録装置のシステム構成を示す図である。
【図２】本発明の１実施例を示す図で、情報記録装置のシステム構成を示す図である。
【図３】本発明の情報記録装置が複数の記録媒体を切り替えて情報を記録する処理の大まかな流れの一例を示す図である。
【符号の説明】
【００６４】
１・・撮影手段、  ２・・撮影光学系、    ３・・撮像素子部、  ４・・Ａ／Ｄ変換器、
５・・画像信号処理手段、  ６・・記録再生信号処理手段、  ７・・メモリ、
８・・記録再生手段、  ９・・記録媒体、  １０・・光学ヘッド、
１１・・サーボ、  １２・・システム制御手段、  １３・・表示手段、
１４・・マイクロホン、  １５・・画像表示手段、  １６・・電源及び充電制御手段、
１７・・ＤＣ電源、  １８・・蓄電池（バッテリー）、  
３０・・記録状態管理手段、  ３１・・記録媒体（情報書き換え型メモリなど）
【図１】
2008147994.tif 000003
【図２】
2008147994.tif 000004
【図３】
2008147994.tif 000005